(57)【要約】【課題】作業手順に制約を加えたり、デッキの外観品質を損なったりすることなく、切断端部に十分な強度を確保すること。【解決手段】補強部材２０は別体に成形した補強リブ部２１と端面カバー部２２とを有し、傾斜する作用面２１ｃ及び押圧面２２ｄを介して補強リブ部２１と端面カバー部２２とを互いに当接させた状態に配置し、端面カバー部２２を介して補強リブ部２１に取付ネジ２３を螺合させた場合に、作用面２１ｃ及び押圧面２２ｄの作用により補強リブ部２１の縁部を弾性変形させてそれぞれのデッキ材１０の表面板１１の内面に押圧するとともに、補強リブ部２１に対して端面カバー部２２を近接する方向に移動させることにより端面カバー部２２をデッキ材１０の切断端面に押圧した状態でデッキ材１０に保持される。【選択図】図２
2016011558.tif 000002
【特許請求の範囲】
【請求項１】
互いに対向する一対の表面板の間に複数のリブを設けることによって構成したデッキ材の切断端部を補強するデッキ材用補強部材であって、
前記一対の表面板の互いに対向する内面の間に介在する補強リブ部と、前記補強リブ部に続き、それぞれの表面板の切断端面を覆うように設けた端面カバー部とを有し、前記表面板の面内方向に沿って前記一対の表面板の間に取付ネジを螺合することにより、前記端面カバー部を前記デッキ材の切断端部に押圧した状態で前記デッキ材に保持されることを特徴とするデッキ材用補強部材。
【請求項２】
前記補強リブ部及び前記端面カバー部を別体に成形するとともに、少なくとも一方に設けた傾斜面を介して前記補強リブ部と前記端面カバー部とを互いに当接させた状態に配置し、
前記端面カバー部を介して前記補強リブ部に前記取付ネジを螺合させた場合に、前記傾斜面の作用により前記補強リブ部の縁部を弾性変形させてそれぞれの表面板の内面に押圧するとともに、前記補強リブ部に対して前記端面カバー部を近接する方向に移動させることにより前記端面カバー部を前記デッキ材の切断端面に押圧することを特徴とする請求項１に記載のデッキ材用補強部材。
【請求項３】
前記端面カバー部からそれぞれの表面板の外面を覆うように延在した表面カバーを有したことを特徴とする請求項２に記載のデッキ材用補強部材。
【請求項４】
前記表面カバーは、前記端面カバー部に向かうに従って相互間隔が漸次拡大するように延在し、少なくとも前記端面カバー部に連結する部分が前記表面板の外面から離隔したことを特徴とする請求項３に記載のデッキ材用補強部材。
【請求項５】
前記補強リブ部及び前記端面カバー部を一体に成形し、前記補強リブ部を介して前記取付ネジを前記リブに螺合することにより、前記端面カバー部を前記デッキ材の切断端部に押圧することを特徴とする請求項１に記載のデッキ材用補強部材。
【請求項６】
前記端面カバー部から少なくとも一方の表面板の外面を覆うように延在した表面カバーを有したことを特徴とする請求項５に記載のデッキ材用補強部材。
【請求項７】
前記補強リブ部は、平板状を成す基部と、前記基部の両側縁部からそれぞれ同一方向に向けて屈曲し、表面板の内面に沿って延在される一対の支持面部とを有し、個々の支持面部の延在端部から互いに離反する方向に向けて前記端面カバー部が屈曲して延在することを特徴とする請求項５に記載のデッキ材用補強部材。
【請求項８】
前記一対の支持面部は、前記基部に近接するに従って相互間隔が漸次減少するように延在したことを特徴とする請求項７に記載のデッキ材用補強部材。
【請求項９】
請求項１〜請求項８のいずれか一つに記載したデッキ用補強部材を切断端面に装着したことを特徴とするデッキ材。
【発明の詳細な説明】
【技術分野】
【０００１】
本発明は、デッキ材用補強部材及びデッキ材に関するものである。
【背景技術】
【０００２】
例えば、ガーデンデッキと称される庭用のデッキは、束柱の上端に設けた大引きや根太の上部にデッキ材を並設することによって構成されている。デッキ材は、同一の幅を有するように構成された板状部材であり、樹脂材によって成形されたものが多く適用されている。具体的には、一対の平板状を成す表面板と、これら表面板の間に介在するように設けた複数のリブとを有してデッキ材を構成するようにしている。この種のデッキ材によれば、表面板の間が中空となるため軽量化を図ることができるとともに、複数のリブによって高い強度を得ることが可能となる。
【０００３】
ところで、構成すべきデッキの寸法がデッキ材の整数倍とならない場合には、デッキ材を切断して幅を調整する必要がある。デッキ材の切断作業自体は、リブを避ければ表面板のみが切断対象となるため、比較的容易に行うことが可能である。しかしながら、切断後のデッキ材にあっては、リブから切断端面までの表面板が片持ちの状態となる。このため、リブからの距離が大きな位置で表面板を切断したデッキ材においては、表面板の切断端部に十分な強度を確保することが困難となり、荷重を加えた場合に破断するおそれがある。
【０００４】
このため従来では、一対の表面板の間に角筒状の補強部材を介在させ、表面板の切断端部に所望の強度を確保するようにしている（例えば、非特許文献１参照）。
【先行技術文献】
【非特許文献】
【０００５】
【非特許文献１】“樹ら楽ステージ取付説明書”、[online]、株式会社ＬＩＸＩＬ、［平成２６年５月２９日検索］、インターネット、<URL:http://www2.toex.co.jp/rp/dfw/exsas4/torisetu/files/E34305A.pdf>
【発明の概要】
【発明が解決しようとする課題】
【０００６】
上述のデッキにおいては、デッキ材の下面から取付ネジを螺合させることによってデッキ材に補強部材を取り付けるようにしている。このように取付ネジをデッキ材の下面から螺合させた場合には、取付ネジがデッキ材の上面に現れないため、デッキの外観品質が損なわれることがない。しかも、デッキ材の上面から取付ネジの頭部が突出することがないため、デッキの上面を歩行する際に取付ネジの頭部に引っ掛かるような事態を招来するおそれもない。
【０００７】
しかしながら、デッキ材の下面から取付ネジを螺合させるには、デッキ材を大引きや根太の上部に支持させる以前に実施する必要があり、作業手順に制約が加えられることになる。すなわち、既に大引きや根太に支持されたデッキ材に対して補強部材を取り付けるには、一旦デッキ材を大引きや根太から取り外す必要がある。
【０００８】
本発明は、上記実情に鑑みて、作業手順に制約を加えたり、デッキの外観品質を損なったりすることなく、切断端部に十分な強度を確保することのできるデッキ材用補強部材及びデッキ材を提供することを目的とする。
【課題を解決するための手段】
【０００９】
上記目的を達成するため、本発明に係るデッキ材用補強部材は、互いに対向する一対の表面板の間に複数のリブを設けることによって構成したデッキ材の切断端部を補強するデッキ材用補強部材であって、前記一対の表面板の互いに対向する内面の間に介在する補強リブ部と、前記補強リブ部に続き、それぞれの表面板の切断端面を覆うように設けた端面カバー部とを有し、前記表面板の面内方向に沿って前記一対の表面板の間に取付ネジを螺合することにより、前記端面カバー部を前記デッキ材の切断端部に押圧した状態で前記デッキ材に保持されることを特徴とする。
【００１０】
この発明によれば、表面板の面内方向に沿って一対の表面板の間に取付ネジを螺合するようにしているため、既に大引きや根太に支持されたデッキ材に対しても取り付けることが可能であり、かつ取付ネジがデッキ材の上面に現れることもない。
【００１１】
また本発明は、上述したデッキ材用補強部材において、前記補強リブ部及び前記端面カバー部を別体に成形するとともに、少なくとも一方に設けた傾斜面を介して前記補強リブ部と前記端面カバー部とを互いに当接させた状態に配置し、前記端面カバー部を介して前記補強リブ部に前記取付ネジを螺合させた場合に、前記傾斜面の作用により前記補強リブ部の縁部を弾性変形させてそれぞれの表面板の内面に押圧するとともに、前記補強リブ部に対して前記端面カバー部を近接する方向に移動させることにより前記端面カバー部を前記デッキ材の切断端面に押圧することを特徴とする。
【００１２】
この発明によれば、端面カバー部を介して補強リブ部に取付ネジを螺合させれば、デッキ材の切断端面に取り付けることが可能であるため、デッキ材のリブに取付ネジを螺合するものに比べて短い取付ネジを適用することが可能となる。
【００１３】
また本発明は、上述したデッキ材用補強部材において、前記端面カバー部からそれぞれの表面板の外面を覆うように延在した表面カバーを有したことを特徴とする。
【００１４】
この発明によれば、表面板の切断端面が外部に現れることがなくなるため、仕上げ加工を要することなく外観品質の向上を図ることができる。
【００１５】
また本発明は、上述したデッキ材用補強部材において、前記表面カバーは、前記端面カバー部に向かうに従って相互間隔が漸次拡大するように延在し、少なくとも前記端面カバー部に連結する部分が前記表面板の外面から離隔したことを特徴とする。
【００１６】
この発明によれば、補強リブ部が表面板の内面を押圧した場合に表面板の弾性変形を許容することができ、かつ表面板が弾性変形した場合に端面カバー部との取付強度を増大させることが可能となる。
【００１７】
また本発明は、上述したデッキ材用補強部材において、前記補強リブ部及び前記端面カバー部を一体に成形し、前記補強リブ部を介して前記取付ネジを前記リブに螺合することにより、前記端面カバー部を前記デッキ材の切断端部に押圧することを特徴とする。
【００１８】
この発明によれば、補強リブ部及び端面カバー部を一体に成形しているため、取り扱い部品点数が最小限となり、組み立て作業を煩雑化するおそれがない。
【００１９】
また本発明は、上述したデッキ材用補強部材において、前記端面カバー部から少なくとも一方の表面板の外面を覆うように延在した表面カバーを有したことを特徴とする。
【００２０】
この発明によれば、表面板の切断端面が外部に現れることがなくなるため、仕上げ加工を要することなく外観品質の向上を図ることができる。
【００２１】
また本発明は、上述したデッキ材用補強部材において、前記補強リブ部は、平板状を成す基部と、前記基部の両側縁部からそれぞれ同一方向に向けて屈曲し、表面板の内面に沿って延在される一対の支持面部とを有し、個々の支持面部の延在端部から互いに離反する方向に向けて前記端面カバー部が屈曲して延在することを特徴とする。
【００２２】
この発明によれば、表面板に沿って延在する支持面部により、補強リブ部の基部を表面板の切断端面よりもリブに近接した位置に配置させることができる。
【００２３】
また本発明は、上述したデッキ材用補強部材において、前記一対の支持面部は、前記基部に近接するに従って相互間隔が漸次減少するように延在したことを特徴とする。
【００２４】
この発明によれば、切断後の一対の表面板の相互間距離が狭小化している場合にも、補強リブ部の基部を表面板の相互間に容易に配置することができる。
【００２５】
また本発明に係るデッキ材は、上述したいずれか一つのデッキ用補強部材を切断端面に装着したことを特徴とする。
【００２６】
この発明によれば、表面板の面内方向に沿って一対の表面板の間に取付ネジを螺合するようにしているため、既に大引きや根太に支持されたデッキ材に対しても取り付けることが可能であり、かつ取付ネジがデッキ材の上面に現れることもない。
【発明の効果】
【００２７】
本発明によれば、表面板の面内方向に沿って一対の表面板の間に取付ネジを螺合するようにしているため、既に大引きや根太に支持されたデッキ材に対しても取り付けることが可能であり、かつ取付ネジがデッキ材の上面に現れることもない。従って、デッキの外観品質を維持することができるとともに、デッキの上面を歩行する際に取付ネジの頭部に引っ掛かるような事態を招来することなく、切断端部に十分な強度を確保することが可能となる。
【図面の簡単な説明】
【００２８】
【図１】図１は、本発明の実施の形態１である補強部材の適用対象となるデッキ材を適用して構成したデッキを示した斜視図である。
【図２】図２は、図１に示したデッキの要部を拡大して示す断面図である。
【図３】図３は、図１に示したデッキに適用するデッキ材及び補強部材の斜視図である。
【図４】図４は、図１に示したデッキに適用するデッキ材及び補強部材の分解斜視図である。
【図５】図５は、図１に示したデッキに適用するデッキ材及び補強部材を示したもので、（ａ）は分解側面図、（ｂ）はデッキ材の切断端部に装着した状態の側面図、（ｃ）は取付ネジを螺合させた状態の側面図である。
【図６】図６は、本発明の実施の形態２である補強部材を適用したデッキ材を示すもので、（ａ）は分解側面図、（ｂ）は取付状態を示す側面図である。
【図７】図７は、図６に示したデッキ材の変形例１を示したもので、（ａ）は分解側面図、（ｂ）は取付状態を示す側面図である。
【図８】図８は、図６に示したデッキ材の変形例２を示したもので、（ａ）は分解側面図、（ｂ）は取付状態を示す側面図、（ｃ）は補強部材を逆向きに取り付けた状態を示す側面図である。
【発明を実施するための形態】
【００２９】
以下、添付図面を参照しながら本発明に係るデッキ材用補強部材及びデッキ材の好適な実施の形態について詳細に説明する。
【００３０】
（実施の形態１）
図１は、本発明の実施の形態１である補強部材の適用対象となるデッキ材を適用して構成したデッキを示したものである。ここで例示するデッキは、図１及び図２に示すように、地面や基礎に立設した複数の束柱１の上端間に水平方向に沿って大引き２を配設し、さらに大引き２の上面に複数のデッキ材１０を並設することによって構成した、ガーデンデッキと称されるものである。
【００３１】
デッキ材１０は、木粉を含有する樹脂材によって成形した押し出し形材であり、全長にわたってほぼ一様な断面形状を有するように構成してある。本実施の形態１では、図２に示すように、一対の表面板１１と一対の側板１２とによって構成した角筒状を成す部材の間に複数のリブ１３を設けることによってデッキ材１０が構成してある。表面板１１は、平板状を成し、側板１２の幅に比較して７〜８倍程度の幅を有するように構成したものである。リブ１３は、表面板１１の互いに対向する内面の間を連結するように設けた平板状部分であり、側板１２の相互間を７等分するように６位置に配設してある。
【００３２】
デッキ材１０の両側板１２には、それぞれの外面にデッキ材１０の長手方向に沿って係合溝１２ａが設けてあるとともに、一対の突出部１２ｂが設けてある。係合溝１２ａは、側板１２の幅方向中央部を内方に向けて略Ｕ字状に湾曲させることによって構成した凹部であり、デッキ材１０の全長にわたって形成してある。一対の突出部１２ｂは、デッキ材１０の長手方向に沿って設けた２条の凸部である。本実施の形態１では、断面が矩形状の突出部１２ｂをデッキ材１０の全長にわたって設けるようにしている。図２からも明らかなように、表面板１１が水平となるようにデッキ材１０を配置した場合に、一方の側板１２には係合溝１２ａよりも上方となる表面にのみ一対の突出部１２ｂが設けてあり、他方の側板１２には係合溝１２ａよりも下方となる表面にのみ一対の突出部１２ｂが設けてある。
【００３３】
上記のように構成したデッキ材１０では、互いに側板１２を近接させた状態で並設すると、係合溝１２ａが同じ高さで開口することになる。従って、上端に水平方向に沿った係合片３ａを有する取付金具３を大引き２の上面に固定しておけば、取付金具３の係合片３ａを係合溝１２ａの上面に係合させるようにデッキ材１０を配置することで、大引き２の上面にデッキ材１０を位置決め配置することができる。さらに係合片３ａ及びデッキ材１０を介して大引き２に釘やピン等の固定具４を打ち付ければ、デッキ材１０が並設した状態で大引き２に固定されてデッキが構成される。隣接するデッキ材１０の側板１２の間の構成される隙間は、係合溝１２ａの上下で互いにずれた位置となる。つまり、このデッキによれば、デッキ材１０の上方に開口する隙間の直下には突出部１２ｂが配置されることになり、デッキ材１０の下方に位置する大引き２や束柱１、地面がデッキ材１０の隙間から見えることがない。尚、図１中の符号５は、デッキ材１０の端面及び大引き２を覆い隠すための幕板である。
【００３４】
構成すべきデッキの寸法がデッキ材１０の整数倍とならない場合には、切断することによって幅を調整したデッキ材１０′を適用することにより対応することができる。但し、デッキ材１０′においてリブ１３から表面板１１の切断端面までの距離が予め設定したしきい値を超える場合、例えばリブ１３から表面板１１の切断端面までの距離が１０ｍｍ以上となる場合には、表面板１１の強度を担保するため、切断端部に補強部材２０を装着することで補強を行う必要がある。
【００３５】
本実施の形態１で適用する補強部材２０は、図２〜図４に示すように、補強リブ部２１と端面カバー部２２とを備え、これら補強リブ部２１及び端面カバー部２２を取付ネジ２３によって続くように構成したものである。補強リブ部２１は、一対の表面板１１の間に挿入した場合にそれぞれの内面に当接することのできる幅を有した長尺部材である。これに対して端面カバー部２２は、デッキ材１０′の側板１２よりも大きな幅を有するように構成した長尺部材である。これらの補強リブ部２１及び端面カバー部２２は、それぞれデッキ材１０′と同等の樹脂材によって成形したものである。
【００３６】
補強リブ部２１には、図５の（ａ）〜図５の（ｃ）に示すように、噛み合い溝２１ａ及び一対のくさび溝２１ｂが形成してある。噛み合い溝２１ａは、補強リブ部２１の幅方向中央部に形成した凹部であり、補強リブ部２１の長手方向に沿った全長に形成してある。くさび溝２１ｂは、噛み合い溝２１ａの両側にそれぞれ補強リブ部２１の長手方向に沿って形成した凹部である。それぞれのくさび溝２１ｂには、作用面（傾斜面）２１ｃが設けてある。作用面２１ｃは、噛み合い溝２１ａの開口に向かうに従って漸次相互間隔が増大するように傾斜したもので、個々のくさび溝２１ｂにおいて補強リブ部２１の縁部側に位置する側面に設けてある。
【００３７】
端面カバー部２２には、一対の表面カバー２２ａ、複数のネジ挿通孔２２ｂ、一対のくさび状突部２２ｃが設けてある。表面カバー２２ａは、端面カバー部２２によってデッキ材１０′の切断端部を覆った場合に端面カバー部２２の両側縁部から表面板１１の外面を覆う向きに突出した平板状部分である。表面カバー２２ａは、端面カバー部２２に向かうに従って相互間隔が漸次増大するように傾斜している。表面カバー２２ａの内面において端面カバー部２２に連結する部分は、表面板１１の外面から離隔した状態にある。ネジ挿通孔２２ｂは、端面カバー部２２を貫通するように形成したもので、端面カバー部２２の幅方向中央部において互いに等間隔となる複数箇所に設けてある。くさび状突部２２ｃは、端面カバー部２２に形成した複数のネジ挿通孔２２ｂに対して補強リブ部２１の噛み合い溝２１ａを対向させた場合に、補強リブ部２１のくさび溝２１ｂに対向する位置に形成した突出部分である。それぞれのくさび状突部２２ｃには、押圧面（傾斜面）２２ｄが設けてある。押圧面２２ｄは、端面カバー部２２から離隔するに従って漸次相互間隔が減少するように傾斜したもので、個々のくさび状突部２２ｃにおいて表面板１１の内面に対向する側面に形成してある。
【００３８】
上記のように構成した補強リブ部２１及び端面カバー部２２は、例えば端面カバー部２２のネジ挿通孔２２ｂを介して補強リブ部２１の噛み合い溝２１ａに取付ネジ２３を螺合させることによって予め相互に続けた状態で用意しておくことが好ましい。噛み合い溝２１ａに対する取付ネジ２３の螺合量は、くさび状突部２２ｃがわずかにくさび溝２１ｂに進入した程度とすれば良い。
【００３９】
この状態から、図５の（ｂ）に示すように、補強リブ部２１を一対の表面板１１の内面の間に挿入するとともに、それぞれの表面カバー２２ａが表面板１１の外面を覆うように端面カバー部２２をデッキ材１０′の切断端部に装着すれば、デッキ材１０′の切断端面を覆い隠すことが可能となる。その後、それぞれの取付ネジ２３を螺合させると、ネジの作用により端面カバー部２２と補強リブ部２１とが相対的に近接する方向に移動し、端面カバー部２２が表面板１１の切断端面に押圧された状態で補強リブ部２１のくさび溝２１ｂに端面カバー部２２のくさび状突部２２ｃが進入する。補強リブ部２１のくさび溝２１ｂに端面カバー部２２のくさび状突部２２ｃが進入すると、くさび状突部２２ｃの押圧面２２ｄが作用面２１ｃを介してくさび溝２１ｂを押し広げることになり、補強リブ部２１の両側縁部が表面板１１の内面に押圧された状態となる。
【００４０】
上述したように、表面カバー２２ａにおいて表面板１１の外面に対向する内面は、端面カバー部２２から離隔するに従って互いに漸次近接するように傾斜し、かつ表面カバー２２ａの内面において端面カバー部２２に近接した部分は、表面板１１の外面から離隔した状態にある。従って、取付ネジ２３をさらに螺合させると、図５の（ｃ）に示すように、表面板１１の切断端部が互いに離反する方向に弾性的に変形し、やがて表面板１１の内面に当接した状態となる。この状態においては、表面板１１の切断端部が互いに拡開した状態で表面板１１の内面の間に介在することになるため、端面カバー部２２の取付強度を大幅に増大させることができるようになる。
【００４１】
これらの結果、リブ１３から表面板１１の切断端面までの距離が１０ｍｍ以上となった場合にも、表面板１１の内面の間に補強リブ部２１が介在することになり、表面板１１の強度を確保することができるようになる。しかも、図２及び図３に示すように、表面板１１の面内方向に沿って端面カバー部２２から一対の表面板１１の間に取付ネジ２３を螺合させれば良いため、デッキ材１０′を大引き２の上面に支持させた後であっても補強部材２０を取り付けることが可能である。さらに、表面板１１の外面に取付ネジ２３が現れることがないため、デッキの上面を歩行する際に取付ネジ２３の頭部に引っ掛かるような事態を招来することもない。適用する取付ネジ２３としては、リブ１３から表面板１１の切断端面までの距離に関わりなく、端面カバー部２２と補強リブ部２１との間を続けることのできる長さがあれば良い。従って、部品の共通化を図ることができる。また、端面カバー部２２に表面カバー２２ａを設けるようにしているため、表面板１１の切断端面が完全に覆われることになり、表面板１１に仕上げ加工を要することなく外観品質の向上を図ることができる。
【００４２】
尚、上述した端面カバー部２２は、デッキ材１０の端面を覆うためのカバーとしても適用することが可能である。すなわち、端面カバー部２２をデッキ材１０の端面に対応した長さに形成するとともに、補強リブ部２１をリブ１３の相互間隔よりも小さい幅に分断し、これらの補強リブ部２１をリブ１３の相互間に挿入して取付ネジ２３を螺合させれば、端面カバー部２２をデッキ材１０の端面に取り付けることが可能となる。
【００４３】
（実施の形態２）
図６の（ａ）及び図６の（ｂ）は、本発明の実施の形態２であるデッキ材用補強部材を示したものである。ここで例示するデッキ材用補強部材１２０は、実施の形態１と同様の構成を有したデッキ材１０が適用対象とするものである。実施の形態１では、補強部材２０として補強リブ部２１と端面カバー部２２とを別体に成形し、取付ネジ２３によって続けるものを例示したが、実施の形態２では、補強リブ部１２１と端面カバー部１２２とを一体に成形して両者を続けたデッキ材用補強部材１２０を示している。
【００４４】
すなわち、実施の形態２の補強部材１２０は、平板状を成す基部１２１ａと、基部１２１ａの両側縁部からそれぞれ同一方向に向けてほぼ直角に屈曲した一対の支持面部１２１ｂと、個々の支持面部１２１ｂの延在端部から互いに離反する方向に向けて屈曲し、基部１２１ａとほぼ平行となるように延在した一対の端面カバー部１２２とを有し、これら基部１２１ａ、一対の支持面部１２１ｂ及び一対の端面カバー部１２２が樹脂材によって一体に成形してある。基部１２１ａ及び一対の支持面部１２１ｂは、補強リブ部１２１に相当し、一対の表面板１１の内面の間に介在される部分であり、支持面部１２１ｂの外面相互間距離が表面板１１の内面相互間距離にほぼ等しくなるように構成してある。
【００４５】
上記のように構成した補強部材１２０は、基部１２１ａ及び支持面部１２１ｂをデッキ材１０′の切断端部から表面板１１の内面の間に挿入し、この状態から基部１２１ａを介して取付ネジ１２３をデッキ材１０′のリブ１３に螺合させれば、デッキ材１０′の切断端部に端面カバー部１２２が押圧された状態でデッキ材１０′に取り付けられることになる。取付ネジ１２３による補強部材１２０の取付強度を確保するため、取付ネジ１２３としては、少なくともリブ１３を２枚貫通するだけの長さを有したものを適用することが好ましい。
【００４６】
この状態においては、リブ１３から表面板１１の切断端面までの距離が１０ｍｍ以上となった場合にも、表面板１１の内面の間に基部１２１ａ及び支持面部１２１ｂが介在することになり、表面板１１の強度を確保することができるようになる。しかも、表面板１１の面内方向に沿って端面カバー部１２２から一対の表面板１１の間に取付ネジ１２３を螺合させれば良いため、デッキ材１０′を大引き２の上面に支持させた後であっても補強部材１２０を取り付けることが可能である。さらに、表面板１１の外面に取付ネジ１２３が現れることがないため、デッキの上面を歩行する際に取付ネジ１２３の頭部に引っ掛かるような事態を招来することもない。
【００４７】
尚、デッキ材１０′を切断した場合には、一対の表面板１１の切断端部が互いに近接する方向に変形し、相互間隔が狭小化するおそれがある。このような場合には、補強部材１２０の基部１２１ａ及び一対の支持面部１２１ｂを表面板１１の内面の間に挿入することが困難になるおそれもある。このため、図７の（ａ）及び図７の（ｂ）に示す変形例１の補強部材２２０のように、基部２２１ａに近接するに従って一対の支持面部２２１ｂの相互間隔が漸次減少するように構成しても良い。端面カバー部２２２については、基部２２１ａに平行となるように形成してある。
【００４８】
この変形例１によれば、基部２２１ａを表面板１１の内面の間に挿入すれば、その後、取付ネジ２２３を螺合することで、支持面部２２１ｂの傾斜作用により表面板１１を相互に拡開するように変形させることができる。従って、端面カバー部２２２が切断端部に押圧された状態で補強部材２２０をデッキ材１０′に取り付けることが可能となる。
【００４９】
また、図８の（ａ）及び図８の（ｂ）に示す変形例２のように、端面カバー部３２２に表面カバー３２２ａを設けて補強部材３２０を構成し、表面カバー３２２ａが上方に位置するように取付ネジ３２３によってデッキ材１０′の切断端部に取り付ければ、端面カバー部３２２及び表面カバー３２２ａによって表面板１１の切断端面が完全に覆われることになり、表面板１１に仕上げ加工を要することなく外観品質の向上を図ることができる。表面カバー３２２ａは、端面カバー部３２２の両側に設けるようにしても良いが、端面カバー部３２２の一方にのみ設ければ、図８の（ｃ）に示すように、表面カバー３２２ａが不要の時には逆向きに取り付けることで対応することが可能となる。
【００５０】
尚、上述した実施の形態１及び実施の形態２では、木粉を含有する樹脂材によって成形したデッキ材１０を適用対象として例示しているが、必ずしもこれに限らない。また、表面板１１が側板１２の幅に比較して７〜８倍程度の幅を有するように構成し、かつリブ１３が側板１２の相互間を７等分するように６位置に配設してあるが、表面板１１と側板１２との幅の比やリブ１３の数も実施の形態に限定されない。さらに、側板１２に係合溝１２ａ及び突出部１２ｂを設けるようにしているが、係合溝１２ａ及び突出部１２ｂを有したものに限らない。
【符号の説明】
【００５１】
１０  デッキ材、１１  表面板、１３  リブ、２０，１２０，２２０，３２０  補強部材、２１，１２１  補強リブ部、２１ａ  噛み合い溝、２１ｂ  くさび溝、２１ｃ  作用面、２２，１２２，２２２，３２２  端面カバー部、２２ａ，３２２ａ  表面カバー、２２ｂ  ネジ挿通孔、２２ｃ  くさび状突部、２２ｄ  押圧面、２３，１２３，２２３，３２３  取付ネジ、１２１ａ，２２１ａ  基部、１２１ｂ，２２１ｂ  支持面部
【図１】
2016011558.tif 000003
【図２】
2016011558.tif 000004
【図３】
2016011558.tif 000005
【図４】
2016011558.tif 000006
【図５】
2016011558.tif 000007
【図６】
2016011558.tif 000008
【図７】
2016011558.tif 000009
【図８】
2016011558.tif 000010